(57)【要約】      （修正有）【課題】病院で処方された薬を保管し、服用忘れを有効に防止するための工夫を講じた薬保管箱を提供する。【解決手段】薬を各日にち毎に仕分けできる小箱状の引出し収納部１を有し、かつ、これらの各引出し収納部１には夫々複数の仕切板を取り外し自在に設け、さらに、これらの引出し収納部とは別の部位に液体薬保管部３１を設けておく。引出し収納部の前面には日付プレートを取り外し自在に設ける。【選択図】図１
0003160676.tif 000002
【実用新案登録請求の範囲】
【請求項１】
薬を各日にち毎に仕分けできる小箱状の引出し収納部を有し、かつ、これらの各引出し収納部には夫々複数の仕切板を取り外し自在に設け、さらに、これらの引出し収納部とは別の部位に液体薬保管用の収納部を設けておくことを特徴とする薬保管箱。
【請求項２】
引出し収納部の前面に日付プレート取付部が設けられており、かつ当該取付部には日付プレートが取外し自在に設けられていることを特徴とする請求項１に記載の薬保管箱。
【請求項３】
日付プレートに描かれた日付数字の色が表裏で異なるように構成されていることを特徴とする請求項２に記載の薬保管箱。
【請求項４】
液体薬保管用収納部の壁面および／または壁面の少なくとも一部に内部が見える透光パネルで構成することを特徴とする請求項１又は２又は３に記載の薬保管箱。
【請求項５】
液体薬保管用収納部の外側所定の位置に、液体薬の残量を示すインジケータを設けておくことを特徴とする請求項１又は２又は３又は４に記載の薬保管箱。
【考案の詳細な説明】
【技術分野】
【０００１】
本考案は薬箱に関するものであり、更に詳しくは、病院で処方された薬を保管し、服用忘れを有効に防止するための工夫を講じた薬保管箱である。
【背景技術】
【０００２】
処方薬を保管する薬箱としては種々の形態のものが存在する。即ち、一つの収納空間の中に纏めて入れておく形式のものや、複数の引き出し内部空間に分割して収納しておくものがある。
【考案の開示】
【考案が解決しようとする課題】
【０００３】
しかしながら、患者によっては、食後または食前毎あるいは所定の時間毎の服用でしかも複数種類の服用を指示されている患者もいる。また、複数の疾患等で複数種類の薬を大量に服用をしている患者もいる。しかしながら、これらの多種多量の薬を単に一纏めにして一カ所に保管していたのでは、服用の際に必要な多くの薬を迅速に取り出すことは極めて煩雑であるし、薬の選別の間違いを引き起こす可能性がある。また、これら多くの種類の薬を毎日飲み忘れなく服用することは非常に難しいといった問題点を有している。
【０００４】
また、従来の薬保管箱にあっては、錠剤や粉末、顆粒状あるいはチューブ入りの塗り薬等を念頭において保管するものが殆どであった。このため、瓶等に入った液体薬（水薬）などを一緒に保管しておくことができず、液体薬の飲み忘れをすることが多かった。
【課題を解決するための手段】
【０００５】
本発明は上記したような従来技術の課題に着目して提案されたもので、多種多量の薬を一箇所に保管することができ、しかも液体薬も同じ場所に収納できる薬保管箱であって、飲み忘れ防止用措置が講じられた薬保管箱を提供することを目的として提案されたものである。
【０００６】
上記目的を達成するために、本考案の請求項１に記載の薬保管箱は、薬を各日にち毎に仕分けできる小箱状の引出し収納部を有し、かつ、これらの各引出し収納部には夫々複数の仕切板を取り外し自在に設け、更に、これらの引出し収納部とは別の部位に液体薬保管用の収納部を設けておくことを特徴とする。
【０００７】
請求項２に記載の薬保管箱は、引出し収納部の前面に日付プレート取付部が設けられていることを特徴とする。
【０００８】
請求項３に記載の薬保管箱は、日付プレートに描かれた日付数字の色が表裏で異なるように構成することを特徴とする。
【０００９】
請求項４に記載の薬保管箱は、液体薬保管用収納部の壁面および／または壁面の少なくとも一部に内部が見える透光パネルで構成することを特徴とする。
【００１０】
請求項５に記載の薬保管箱は、液体薬保管用収納部の外側所定の位置に、液体薬の残量を示すインジケータを設けておくことを特徴とする。
【考案の効果】
【００１１】
本考案の薬保管箱によれば、薬を各日付毎の対応する引出しに入れておき、引出しの前面の日付に応じて引出しからその日（その時）の分の薬を取出して服用する。即ち、各引出しには仕切り板によって例えば、毎食後毎や時間毎に仕切られているので、対応する仕切り位置にある薬を取出して服用すればよい。そして、一日の最後の服用が終わると、日付プレートを裏返しておく。そうすれば、各日の服用の有無を簡単にチェックできる。
【００１２】
また、本考案の薬保管箱には液体薬保管用収納部が存在するので、液体薬の飲み忘れを防止できる。しかも、液体薬保管用収納部は内部が見えるので、残量も外から確認できる。もっとも、紫外線などがあたると変質するような液体薬の場合には、内部の透視性を持たせない方が良いので、手動でインジケータを上げ下げの操作をし、液体薬の残量に応じた値を示すようにしておけば、外部から液体薬の残量が一目で分かる。
【考案を実施するための最良の形態】
【００１３】
以下、本考案を実施するための形態を図面に基づいて説明する。図１は、本考案の薬保管箱を示したもので、薬保管箱本体１０の前面側には７列で５段の計３５個の引出し収納部１が前後方向に出し入れ可能に設けられている。図中矢印は、引出し収納部１の引出し方向である。矢印と反対方向が収納方向である。引出し収納部の数を３５個にしたのは、日数が３１日の月（１、３、５、７、８、１０、１２月）があるからである。もっとも、３２〜３５個目のものはこれらで一つの大きな引出しとして、体温計や常備薬等の保管用にしておいても良い。
【００１４】
本体１０の向って右側には、上下２段に仕切られた液体薬（水薬）保管用の引出し収納部（以下、液体薬保管部という）３１が同じく前後方向に収容されている。なお、液体薬保管部は引出しではなく片開き式のもであっても良い。片開き式の場合には、好ましくは前後方向にスライド可能なトレイを底面に設置しておくことが望ましい。これにより、複数本の容器（瓶）を保管しておく場合に、トレイをスライドさせて引出し奥の容器を容易に取出したり収納することができる。
【００１５】
各引出し収納箱１１には、図２から最もよく分かるように、内部に仕切板１４を係止するための係止溝１３が設けられている。係止溝１３の前後方向における数、即ち仕切板１４の数は１〜３が好ましい。仕切板１４が一つの場合には、処方薬を一日に２回、例えば、朝と夕方に服用が指示されている場合であり、仕切板１４を２枚設ける場合には、収容空間が３個でき、朝、昼、夕の毎食後計３回服用する場合である。仕切板１４を３枚以上使う場合は、収容空間が４個以上となり、処方薬の服用が所定時間毎に指示されている場合である。
【００１６】
仕切板１４は長方形状の平板であり、係止溝１３に差し込む形式のものとして説明したが、これに限定されるものではなく、図３に示すようにＴ字型の仕切板を引出しの底部に載せ矢印方向にスライド可能なようにしておく。この場合には係止溝１３は不要となる。スライド可能とすることにより前後の空間容積を調整でき、毎服用時に薬の数や種類が異なる場合に有効である。
【００１７】
各引出し収納部１の前面には、図２から最もよく分かるように１〜３１迄の数字が記入あるいは刻印された日付プレート１６の取付け部１５が形成されている。図２においては、日付プレート１６を差し込む形式であるが、本考案はこれに限定されるものではなく、引出し前面にフックを設けておき、日付プレート１６に吊り下げ孔を形成しておくものであっても良い。なお、図中において参照番号１９は引出し操作のためのツマミである。なお、図１においては、便宜上日付プレート１６およびその取付部１５の記載を省略してある。
【００１８】
日付プレート１６の両面には同じ日にち（数字）が刻印あるいは書かれている。そして、表裏の文字の色は異なるようにしておく。例えば、文字色を黒色と赤色とした場合、最初は全ての日付プレート１６を黒色の方を表にしておき、一日の服用が全て終わったときには裏返して赤色にする。これにより、その日、及び前日の服用忘れが一目で分かり、以後の服用忘れの防止に役立つ。なお、本考案は日付をプレートに記していたり刻印していたりする必要は必ずしも無く、その代わりに表面をホワイトボードで構成しておき、専用のマジックインキで日付（数字）を書くようにしておいてもよい。この場合には、予めひと月分の日付を書いておき、服用したときにその日付を消去すればよく、また別色で完了マークを記するようにしておくことも可能である。どのように記するかは使用者の任意である。
【００１９】
図１に示すように、液体薬保管部３１の前面には、内部の液体薬の残量を示すインジケータ３５が設けられている。インジケータ３５は上下方向に溝３５aが穿設されており、この溝３５aにはインジケータの指標部３５ｂが上下方向にスライド可能に取付けられている。例えば、このインジケータの指標部３５ｂが最上部に位置するときには、液体薬が１００％残っており、最下部に位置するときには残量がゼロを示す。中央位置にあるときには５０％の残量である。液体薬を服用毎にインジケータの指標部３５ｂを下げてやれば液体薬の残量の目安になる。なお、図中参照番号３６は引出し操作や開閉操作のためのツマミである。
【００２０】
薬保管箱本体１０の液体薬保管部３１側の側面には、当該液体薬保管部３１の内部が見えるように透通窓３３が形成されており、ここには透明あるいは色付きのガラスやアクリル板等の透光パネルが取付けられている。これにより、液体薬の収納容器が透けて見え内部の液体薬の残量が確認できる。もっとも、保管している液体薬によっては、日光等光に当ててはいけないものがあるので、この場合には日光遮蔽用に変更しておくこともできる。この場合には前記インジケータ指標部３５ｂの存在が役に立つ。なお、図１においての例示は、上側の液体薬保管部のみに透通窓３３を形成しておき、日光遮蔽を必要とする薬は、下側の液体薬保管部３２に保管すれば良い。
【００２１】
図１に戻って説明すると、薬保管箱本体１０の最下部には幅広状の引出し５が設けられている。ここには常備薬、体温計あるいは薬手帳等を保管できる。また、上部には扉が矢印方向に開閉自在の収納部７１が設けられている。図中参照番号７３は開閉用のツマミであり、７２は開閉の支点となる蝶番である。
【００２２】
薬保管箱本体１０の前面の上部には、図１に示すように日曜日から土曜日迄を示す表示がされている。したがって、日付プレート１６の対応する日付を対応する曜日に位置させておけば、カレンダーとしての役目も併せ持つばかりでなく、処方薬の服用の忘れ防止にも役立つ。
【図面の簡単な説明】
【００２３】
【図１】本考案の一実施形態を示す全体斜視図。
【図２】引出し収納部の一例を示した斜視図。
【図３】引出し収納部に用いる仕切板の他の例を示した斜視図。
【符号の説明】
【００２４】
１  引出し収納部
５  常備薬や体温計等の保管用引出し
１０  薬保管箱本体
１１  引出し収納箱
１４  仕切板
１６  日付プレート
３１  液体薬保管部
３３  透通窓
３５  インジケータ
７１  収納部
７２  蝶番
【図１】
0003160676.tif 000003
【図２】
0003160676.tif 000004
【図３】
0003160676.tif 000005